【事件の表示】
　平成　８年特許願第２１１４０７号「スキャナの電荷結合デバイスを配列する方法」拒絶査定に対する審判事件［平成１０年　４月１０日出願公開、特開平１０−　９１７５４］について、次のとおり審決する。
【結　論】
　本件審判の請求は、成り立たない。
【理　由】
１．手続の経緯
　本願は、平成８年８月９日の出願であって、平成１１年２月９日付で手続補正がなされ、平成１３年３月２８日付で拒絶査定がなされ、これに対して、平成１３年７月２日付で審判請求及び手続補正がなされたものである。
　
２．平成１３年７月２日付の手続補正についての補正却下の決定
［補正却下の決定の結論］
　平成１３年７月２日付の手続補正を却下する。
［理由］
（１）本件補正により、特許請求の範囲の請求項１は、
「【請求項１】　スキャナの有効スキャン範囲を設定する方法であって、前記スキャナは、ハウジング、スキャンされる書類を置く透明窓、ハウジングのテスト領域内に配置された位置決めマーク、及び、書類をスキャンするためにハウジング内に可動的に配置されたスキャンモジュールを有し、スキャンモジュールは、ライン画像をアナログ信号配列に変換する光センサの配列を有する電荷結合デバイス（ＣＣＤ）と、アナログ信号配列を画像データ配列に変換するアナログ／ディジタル（Ａ／Ｄ）変換器とを有し、前記方法は、
（１）　スキャンモジュールをテスト領域に動かし；
（２）　ＣＣＤ及びＡ／Ｄ変換器を用いることによりテスト領域の画像からなる画像データ配列を形成し；
（３）　画像データ配列から位置決めマークを識別し；
（４）　透明窓の幅に対応する識別された位置決めマークに応じて画像データ配列内の有効な画像データの開始及び終了位置を決める光センサの配列に沿った有効スキャン範囲を設定する
　各段階からなる方法。」
と補正された。
　上記補正は、請求項１に記載した発明を特定するために必要な事項である「スキャナ」について「前記スキャナは、ハウジング、スキャンされる書類を置く透明窓、ハウジングのテスト領域内に配置された位置決めマーク、及び、書類をスキャンするためにハウジング内に可動的に配置されたスキャンモジュールを有し」との限定を付加し、同じく「識別された位置決めマーク」について「透明窓の幅に対応する」との限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第４項の規定に適合するか）について以下に検討する。
　
（２）引用例
　当審で拒絶の理由に引用文献１として引用された特開平２−２８４５７７号公報（以下、「引用例」という。）には、図面とともに以下の各記載がある。
　ア．「２．特許請求の範囲
　１．原稿の読取ラインの情報を読取る読取手段と、
　該読取手段を前記読取ラインの方向と直交する方向に対し相対的に移動させる走査手段とを有する画像読取装置であって、
　走査手段により移動可能範囲内で、且つ原稿の載置位置外に設けられ、少なくとも一方の原稿載置位置境界を明示する明示手段と、
　原稿読取時に読取手段より得られる情報より前記読取手段により予め読取られる読取ラインの端部より前記明示手段により明示される境界の位置までの距離に対応する部分を除去して出力する制御手段とを有することを特徴とする画像読取装置。」（１頁下左欄４〜１７行）
　イ．「本発明は、上述した問題点を解決するためになされたものであり、その目的とするところは、製造時に機械的な精度を要求せずに原稿の端と、読取開始位置を正確に一致させることにある。」（２頁上左欄５〜８行）
　ウ．「イメージスキャナ１は、筐体４と原稿台ガラス５と原稿台蓋６とスキャナユニット（読取手段）７と、原点検出センサ８と、スキャナユニット駆動系２５と、コントロールボード１９で構成される。スキャナユニット７には蛍光灯１４とミラー１５ａ、１５ｂ、１５ｃとフィルタ１６とレンズ１７とＣＣＤ（固体撮像素子）１８が実装されている。」（２頁上右欄１８行〜同頁下左欄４行）
　エ．「第３図は原稿台を裏から見た図であり、前記スキャナユニット７の走査開始位置側の原稿台ガラス５の端部には原稿載置範囲を示す白色のマーキング（明示手段）２が示されている。また、本装置ケースの内側の他の部分は黒色に塗られている。」（２頁下右欄４〜９行）
　オ．「原稿２０は、画像面を下に向けて原稿台ガラス５と原稿台蓋６との間にセットされる。
　まず、スキャナユニットは、マーキングの位置へと移動し、そこより矢印Ａの方向へ走査を開始する。スキャナユニット７がマーキングの位置にあると蛍光灯１４によってマーキング２の一部分が照明され、マーキング２の像がミラー１５ａ、１５ｂ、１５ｃ及びレンズ１７によってＣＣＤ１８上に結像する。該結像したマーキング２の像は、ＣＣＤ１８によって光電変換され、その光電変換によって得られた１ライン分の画像データは、ＣＣＤコントローラ５２内のＡ／Ｄコンバータによりデジタル化されてＣＰＵ５０に対して出力される。
　このＣＣＤ１８より出力される情報は、第４図に示すように、マーキング２に対応する部分は白レベル（Ｖ１）となり、マーキング２よりはずれた部分については黒レベル（Ｖ３）となる。そのため、Ｖ１とＶ３の略中間のレベル（Ｖ２）を閾値として二値化すると、マーキング２に対応する部分が分る。ＣＰＵ５０はＣＣＤ１８より出力される情報をＣＣＤコントローラ５２を介して一画素づつ取込み、その値と前記閾値（Ｖ２）とを比較する。そして最初にＶ２よりも大きな値のデータが出力されるまで、出力された画素数をカウントしていく。このカウントされた画素数（距離）Ｎは、メモリ５３に記憶される。
　前記マーキング２の位置は、原稿載置範囲に対応しているので、後述する実際の原稿の読取りにおいて、読取られるデータの端部Ｎ画素分は意味のないものとなる。
　次に実際の画像読取の処理について説明する。ＣＰＵ５０は、スキャナユニット駆動系２５を介してスキャナユニット７を、原稿の端部が結像する位置まで移動させ、その位置より副走査を開始する。まず、その位置で１ライン分の画像の情報を読取る。ＣＣＤ１８は、自己走査機能により各画素の情報を左端より順に出力し、出力された情報はＣＣＤコントローラ５２のＡ／Ｄコンバータによりデジタル化された後ＣＰＵ５０に取込まれる。そして最初に入力されるＮ画素分の情報を除去して、Ｎ＋１画素目より１０２４画素分の情報をメモリに記憶させる。そして１ライン分の読取が終了すると、スキャナユニット７が一画素分移動し（副走査）、次のラインを同様に読取る。」（２頁下右欄１２行〜３頁上右欄１６行）
　カ．「［発明の効果］
　以上詳述したことから明らかなように、本発明によれば、明示手段を読み取ることにより原稿の端を画像の読み込み開始位置を一致させることが出来るので、製造時に機械的な精度がさほど要求されずにすむ。」（３頁下左欄５〜１０行）
　キ．第３図によれば、マーキング２は、原稿台ガラス５の幅に対応している。
　これらの記載からみて、引用例には、
「筐体４、走査される原稿を置く原稿台ガラス５、筐体４内の原稿載置位置外に設けられ、原稿載置位置境界を示す原稿台ガラス５の幅に対応したマーキング２、及び、原稿を走査するために筐体４内に移動可能に設けられたスキャナユニット７を有するイメージスキャナ１と、スキャナユニット７は、１ライン分の画像を光電変換する素子の配列を有するＣＣＤ１８と、光電変換によって得られた１ライン分の画像データをデジタル化するＡ／Ｄコンバータとを有する装置であって、製造時に機械的な精度を要求せずに原稿の端と読取開始位置を正確に一致させるために、
　まず、スキャナユニット７は、マーキング２の位置へと移動し、そこより矢印Ａの方向へ走査を開始し、
　マーキング２の像がＣＣＤ１８上に結像し、該結像したマーキング２の像は、ＣＣＤ１８によって光電変換され、その光電変換によって得られた１ライン分の画像データは、ＣＣＤコントローラ５２内のＡ／Ｄコンバータによりデジタル化されてＣＰＵ５０に対して出力され、
　ＣＰＵ５０はＣＣＤ１８より出力される情報をＣＣＤコントローラ５２を介して一画素づつ取込み、その値と閾値（Ｖ２）とを比較し、そして最初にＶ２よりも大きな値のデータが出力されるまで、出力された画素数をカウントし、このカウントされた画素数（距離）Ｎは、メモリ５３に記憶され、
　次に実際の画像読取の処理時に、まず、１ライン分の画像の情報を読取り、最初に入力されるＮ画素分の情報を除去して、Ｎ＋１画素目より１０２４画素分の情報をメモリに記憶させ、そして１ライン分の読取が終了すると、スキャナユニット７が一画素分移動し（副走査）、次のラインを同様に読取る
　ようにした装置。」の発明（以下、「引用例記載の発明」という。）が記載されている。
　
（３）対比
　そこで、本願補正発明と引用例記載の発明とを対比すると、
　引用例記載の発明の「イメージスキャナ１」、「筐体４」、走査される原稿を置く「原稿台ガラス５」、「スキャナユニット７」、１ライン分の画像を光電変換する素子の配列を有する「ＣＣＤ」、光電変換によって得られた１ライン分の画像データをデジタル化する「Ａ／Ｄコンバータ」は、それぞれ本願補正発明の「スキャナ」、「ハウジング」、スキャンされる書類を置く「透明窓」、「スキャンモジュール」、ライン画像をアナログ信号配列に変換する光センサの配列を有する「電荷結合デバイス（ＣＣＤ）」、アナログ信号配列を画像データ配列に変換する「アナログ／ディジタル（Ａ／Ｄ）変換器」に相当する。また、引用例記載の発明の筐体４内のマーキング２が設けられた「位置」、該マーキング２が示す「原稿載置位置境界」は、それぞれ本願補正発明の「テスト領域」、該テスト領域内に配置された「位置決めマーク」に相当するといえ、引用例記載の発明の「まず、スキャナユニット７は、マーキング２の位置へと移動」することは、本願補正発明の「（１）スキャンモジュールをテスト領域に動か」すことに相当し、引用例記載の発明の「結像したマーキング２の像は、ＣＣＤ１８によって光電変換され、その光電変換によって得られた１ライン分の画像データは、ＣＣＤコントローラ５２内のＡ／Ｄコンバータによりデジタル化されてＣＰＵ５０に対して出力され」ることは、本願補正発明の「（２）ＣＣＤ及びＡ／Ｄ変換器を用いることによりテスト領域の画像からなる画像データ配列を形成」することに相当し、引用例記載の発明の「ＣＰＵ５０はＣＣＤ１８より出力される情報をＣＣＤコントローラ５２を介して一画素づつ取込み、その値と閾値（Ｖ２）とを比較し、そして最初にＶ２よりも大きな値のデータが出力されるまで、出力された画素数をカウントし」ていくことは、結局、カウントされた画素数（距離）は原稿載置位置境界に他ならないことから、本願補正発明の「（３）画像データ配列から位置決めマークを識別」することに相当し、引用例記載の発明の「このカウントされた画素数（距離）Ｎは、メモリ５３に記憶され」ることは、結局、記憶した画素数（距離）Ｎ（原稿載置位置境界を示す値）は、読取った１ライン分の画像データのうち最初に入力されるＮ画素分のデータを除去し、Ｎ＋１画素目より１０２４画素分のデータのみを有効な画像データとして取り込む、すなわち、デジタル化された画像データ内の有効な画像データ部分を決めるために用いられるものであることからして、後述の相違点を除いて、本願補正発明の光センサの配列に沿った「有効スキャン範囲を設定する」ことに相当するということができる。そして、引用例に記載された発明は装置として表現されているが、これを方法として表現し得ることは自明であって、単なる表現上の問題にすぎないから、両者は、
「スキャナの有効スキャン範囲を設定する方法であって、前記スキャナは、ハウジング、スキャンされる書類を置く透明窓、ハウジングのテスト領域内に配置された位置決めマーク、及び、書類をスキャンするためにハウジング内に可動的に配置されたスキャンモジュールを有し、スキャンモジュールは、ライン画像をアナログ信号配列に変換する光センサの配列を有する電荷結合デバイス（ＣＣＤ）と、アナログ信号配列を画像データ配列に変換するアナログ／ディジタル（Ａ／Ｄ）変換器とを有し、前記方法は、
（１）　スキャンモジュールをテスト領域に動かし；
（２）　ＣＣＤ及びＡ／Ｄ変換器を用いることによりテスト領域の画像からなる画像データ配列を形成し；
（３）　画像データ配列から位置決めマークを識別し；
（４）　識別された位置決めマークに応じて画像データ配列内の有効な画像データの部分を決める光センサの配列に沿った有効スキャン範囲を設定する
　各段階からなる方法。」
である点で一致し、次の点で相違する。
［相違点］
　有効スキャン範囲を設定する段階に関して、本願補正発明では「識別された位置決めマーク」が透明窓の幅に対応するものであり、該識別された位置決めマークに応じて画像データ配列内の有効な画像データの開始
及び終了位置
　
（４）判断
　上記相違点について検討すると、
　引用例記載の発明では、識別された位置決めマークに応じて、画像データ配列内の有効な画像データの開始位置のみを決め、その位置から例えば１０２４画素分を経過するところを終了位置としており、すなわち、有効スキャン範囲の総画素数（長さ）は一定の値に揃えられるものである。これに対して、本願補正発明では、識別された位置決めマークそれぞれに応じて、画像データ配列内の有効な画像データの開始及び終了位置それぞれを決めるものであるため、有効スキャン範囲の総画素数（長さ）はスキャナによって異なることとなり、別途、総画素数を揃えるための補正手段が必要になるといった問題点を有しているといえるが、引用例記載の発明においても、マークキング２は原稿台ガラス５の幅に対応していることから、その端部の両方ともが原稿載置位置境界、すなわち位置決めマークを示すものであり、そのそれぞれの検出に応じて画像データ配列内の有効な画像データの開始位置と同様に、終了位置についても決めることができるものであることは容易に想到し得るところであり、上記のような問題点を考慮する必要のない等の場合には、本願補正発明のように、「識別された位置決めマーク」を透明窓の幅に対応するものとし、該識別された位置決めマークに応じて画像データ配列内の有効な画像データの開始及び終了位置を決めることにより有効スキャン範囲を設定するように構成することも当業者であれば容易になし得ることと認められる（なお、この点について、さらに必要であれば、例えば特開昭６０−４１８７６号公報（特に、３頁上右欄１７行〜同頁下左欄１６行）、特開昭６３−１１４４５４号公報（特に、３頁下左欄３行〜同頁下右欄６行）を参照されたい。位置決めマークが所定の幅に対応してその両端にそれぞれ設けられ、識別された位置決めマークそれぞれに応じて、画像データ配列内の有効な画像データの開始及び終了位置それぞれを決めることにより有効スキャン範囲を設定するようにしたものが記載されているところである。）。
　したがって、本願補正発明は、引用例に記載された発明に基づいて当業者が容易に発明をすることができたものであるから、特許法第２９条第２項の規定により特許出願の際独立して特許を受けることができないものである。
　
（５）むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
３．本願発明について
　平成１３年７月２日付の手続補正書は上記のとおり却下されたので、本願の請求項１に係る発明（以下、「本願発明」という。）は、平成１１年２月９日付手続補正書の特許請求の範囲の請求項１に記載された事項により特定される、以下のとおりのものである。
「【請求項１】　反射されたライン画像をアナログ信号配列に変換する光センサの配列を有する電荷結合デバイス（ＣＣＤ）と、アナログ信号配列を画像データ配列に変換するアナログ／デジタル（Ａ／Ｄ）変換器と、その中に位置決めマークを有するテスト領域とからなるスキャナを配列する方法であって、
（１）　スキャンモジュールをテスト領域に動かし；
（２）　ＣＣＤ及びＡ／Ｄ変換器を用いることによりテスト領域の画像からなる画像データ配列を形成し；
（３）　画像データ配列から位置決めマークを識別し；
（４）　識別された位置決めマークに応じて画像データ配列内の有効な画像データの開始及び終了位置を決める光センサの配列に沿って有効スキャン範囲を設定する
各段階からなる方法。」
　
（１）引用例
　当審で拒絶の理由に引用された引用例、および、その記載事項は、前記「２．（２）」に記載したとおりである。
　
（２）対比・判断
　本願発明は、前記２．で検討した本願補正発明から「スキャナ」の限定事項である「前記スキャナは、ハウジング、スキャンされる書類を置く透明窓、ハウジングのテスト領域内に配置された位置決めマーク、及び、書類をスキャンするためにハウジング内に可動的に配置されたスキャンモジュールを有し」との構成を省き、「識別された位置決めマーク」について「透明窓の幅に対応する」との構成を省いたものである。
　そうすると、本願発明の構成要件を全て含み、さらに他の構成要件を付加したものに相当する本願補正発明が、前記「２．（４）」に記載したとおり、引用例に記載された発明に基づいて当業者が容易に発明をすることができたものであるから、本願発明も、同様の理由により、引用例に記載された発明に基づいて当業者が容易に発明をすることができたものである。
　
（３）むすび
　以上のとおり、本願発明は、引用例に記載された発明に基づいて当業者が容易に発明をすることができたものであるから、特許法第２９条第２項の規定により特許を受けることができない。
　よって、結論のとおり審決する。